(57)【特許請求の範囲】
【請求項１】
長手形状をなす平板形状の平板部と、前記平板部の長手方向に沿い、前記平板部の幅方向となる短手方向における両側端部のそれぞれから立ち上がる一対の側壁部とから成る凹部を有する本体部と、
前記凹部の長手方向の一方の端部を塞ぐ端板と
を備え、
前記一対の側壁部は、
前記側壁部の内面に対して隙間を隔てて対向するように、前記側壁部の端部が切り起こされて形成された対向部を有し、
前記端板は、
各対向部と前記側壁部の内面との間の前記隙間に挿入され、前記一対の側壁部の前記短手方向の幅寸法を規制する一対の幅規制部を備える照明器具本体。
【請求項２】
長手形状をなす平板形状の平板部と、前記平板部の長手方向に沿い、前記平板部の幅方向となる短手方向における両側端部のそれぞれから立ち上がる一対の側壁部とから成る凹部を有する本体部と、
前記凹部の長手方向の一方の端部を塞ぐ端板と
を備え、
前記一対の側壁部は、
前記凹部の長手方向の前記一方の端部に、前記凹部の長手方向の前記一方の端部から前記凹部の長手方向の他方の端部に向かって切り込まれた切込み部が形成され、
前記端板は、
前記一対の側壁部の各切込み部に前記凹部の長手方向の前記一方の端部から挿入された一対の挿入部を有する照明器具本体。
【請求項３】
長手形状をなす平板形状の平板部と、前記平板部の長手方向に沿い、前記平板部の幅方向となる短手方向における両側端部のそれぞれから立ち上がる一対の側壁部とから成る凹部を有する本体部と、
前記凹部の長手方向の一方の端部を塞ぐ端板と
を備え、
前記本体部は、
前記一対の側壁部の立ち上がる方向を下方向とし反対方向を上方向とした場合に、それぞれの前記側壁部の下方向の端部から、前記凹部の外に向かって斜め上方向に延びる、一対の傾斜部と、
前記一対の傾斜部の上方向の端部の上方向に形成され、かつ、前記凹部の長手方向の前記一方の端部に少なくとも形成された一対の本体側固定部と
を
備え、
前記端板は、
それぞれの前記本体側固定部に固定される第一の固定部と、
前記平板部の上方向の面である上面に固定される第二の固定部と
を備え、
前記一対の側壁部は、
前記本体側固定部に前記第一の固定部が固定されている状態で、前記平板部の前記上面に前記第二の固定部が固定された場合に、上方向に引っ張られる照明器具本体。
【請求項４】
長手形状をなす平板形状の平板部と、前記平板部の長手方向に沿い、前記平板部の幅方向となる短手方向における両側端部のそれぞれから立ち上がる一対の側壁部とから成る凹部を有する本体部と、
前記凹部の長手方向の一方の端部を塞ぐ端板と
を備え、
前記一対の側壁部は、
前記凹部の長手方向の前記一方の端部に、前記凹部の長手方向の他方の端部に向かって切り込まれた切込み部が形成され、
前記端板は、
前記一対の側壁部の各切込み部に挿入された一対の挿入部と、
前記平板部の上方向の面である上面に固定される第二の固定部と
を備え、
前記一対の挿入部は、
前記上面に前記第二の固定部が固定された場合に、前記切込み部の下方向の縁部に近づくとともに前記縁部にぶつからない照明器具本体。
【請求項５】
長手形状をなす平板形状の平板部と、前記平板部の長手方向に沿い、前記平板部の幅方向となる短手方向における両側端部のそれぞれから立ち上がる一対の側壁部とから成る凹部を有する本体部と、
前記凹部の長手方向の一方の端部に、第１の光源ユニットの一端を取り付けるねじ機構が形成された第１のねじ部と、
前記凹部の長手方向の他方の端部に、第２の光源ユニットの一端を取り付けるねじ機構が形成された第２のねじ部と、
前記第１のねじ部と対をなし前記第１の光源ユニットの他端を取り付けるねじ機構が形成された第３のねじ部、及び前記第２のねじ部と対をなし前記第２の光源ユニットの他端を取り付けるねじ機構が形成された第４のねじ部を有する固定具と
を備える照明器具本体。
【請求項６】
請求項１から請求項５のいずれか一項に記載の照明器具本体と、
前記照明器具の前記凹部に一部が収納される光源ユニットと
を備える照明装置。
【発明の詳細な説明】
【技術分野】
【０００１】
この発明は、照明器具本体及びこの照明器具本体を備える照明装置に関する。
【背景技術】
【０００２】
反射板の端部に取り付けられる端板において、反射板に嵌合する突出片に切り起こし片を設け、この切り起こし片を反射板に嵌合させて、端板を反射板に固定する技術がある。（例えば、特許文献１、２参照。）また、端板の突出片を切り起こして傾斜部を形成するようにし、反射板の端部を折り曲げて突出片を挟みこむ技術がある。（例えば、特許文献３参照。）また、端板の突出片の先端を９０°折り曲げて形成し、反射板の端部を折り曲げて突出片を挟みこむ技術がある（例えば、特許文献４参照）。
【先行技術文献】
【特許文献】
【０００３】
【特許文献１】特開昭６２−１４３３０３号公報（第１図〜第３図参照。）
【特許文献２】特開昭６２−１４３３０２号公報（第１図〜第３図参照。）
【特許文献３】特開平１１−２５０７１１号公報（図１１、図１２参照。）
【特許文献４】実公平０３−２３６１６号公報（第８図参照。）
【発明の概要】
【発明が解決しようとする課題】
【０００４】
照明器具の本体部を９０°曲げをして凹部を形成する場合、本体部を形成する材質によっては凹部の側壁部が広がるなどの形状変形が発生してしまう恐れがあった。
【０００５】
本発明は、本体部と端板とを備える照明器具本体において、本体部と端板とを確実に結合でき、本体部の形状を矯正できる照明器具本体の提供を目的とする。
【課題を解決するための手段】
【０００６】
この発明の照明器具本体は、
長手形状をなす平板形状の平板部と、前記平板部の長手方向に沿い、前記平板部の幅方向となる短手方向における両側端部のそれぞれから立ち上がる一対の側壁部とから成る凹部を有する本体部と、
前記凹部の長手方向の一方の端部を塞ぐ端板と
を備え、
前記一対の側壁部は、
前記側壁部の内面と隙間を隔てて対向する対向部を有し、
前記端板は、
各対向部の前記隙間に挿入され、前記一対の側壁部の前記短手方向の幅寸法を規制する一対の幅規制部を備える。
【発明の効果】
【０００７】
本発明によれば、本体部と端板とを備える照明器具本体において、本体部と端板とを確実に結合でき、本体部の形状を矯正できる照明器具本体を提供できる。
【図面の簡単な説明】
【０００８】
【図１】実施の形態１の図で、照明装置１０００の斜視図。
【図２】実施の形態１の図で、照明装置１０００を照明器具本体１００と光源ユニット２００とに分解した分解斜視図。
【図３】実施の形態１の図で、照明器具本体１００の正面図（図２のＡ方向矢視）。
【図４】実施の形態１の図で、照明器具本体１００の側面図（図２のＢ方向矢視）。
【図５】実施の形態１の図で、図１のＡ−Ａ断面に相当する半断面図。
【図６】実施の形態１の図で、端板１２０の斜視図。
【図７】実施の形態１の図で、端板１２０の４面図。
【図８】実施の形態１の図で、本体部１１０の切込み部１１１ａ、引っ掛け部１１１ｂ等の詳細を示すための拡大図。
【図９】実施の形態１の図で、本体部１１０の端部詳細を示す斜視図。
【図１０】実施の形態１の図で、端板１２０の本体部１１０への取り付けを示す斜視図。
【図１１】実施の形態１の図で、側壁部１１１−２が上方向Ｚ２に引っ張られることを説明する図。
【図１２】実施の形態２の図で、照明装置１００２の斜視図。
【図１３】実施の形態２の図で、照明器具本体１００の（ａ）背面図（図２の反Ａ方向に対応）、（ｂ）側面図（図２のＢ方向に対応）、（ｃ）正面図（図２のＡ方向に対応）。
【図１４】実施の形態２の図で、固定具３００の斜視図。
【図１５】実施の形態２の図で、固定具３００の四面図及び断面図。
【図１６】実施の形態２の図で、照明器具本体１００への固定具３００の取り付けを示す斜視図。
【図１７】実施の形態２の図で、図５に相当する断面図。
【図１８】実施の形態２の図で、図１７の拡大図。
【図１９】実施の形態２の図で、図１３（ａ）のＡ−Ａ断面に対応する半断面。
【図２０】実施の形態２の図で、図１９の拡大図。
【発明を実施するための形態】
【０００９】
実施の形態１．
図１〜図１１を参照して実施の形態１の照明装置１０００を説明する。
図１は、照明装置１０００の斜視図である。図１のように、照明装置１０００の長手方向、短手方向、下方向、上方向をそれぞれＸ，Ｙ，Ｚ１，Ｚ２と定める。これらの長手方向等は、以下に説明する本体部１１０についても図１のとおりとする。
図２は、照明装置１０００を照明器具本体１００と光源ユニット２００とに分解した分解斜視図である。
図３は、照明器具本体１００の正面図（図２のＡ方向矢視）である。
図４は、照明器具本体１００の側面図（図２のＢ方向矢視）である。
図５は、図１のＡ−Ａ断面に相当する半断面図である。
図６は、端板１２０の斜視図である。
図７は、端板１２０の４面図である。（ａ）は正面図、（ｂ）は底面図、（ｃ）は平面図、（ｄ）は右側面図である。
図８は、本体部１１０の切込み部１１１ａ、引っ掛け部１１１ｂ等の詳細を示す拡大図である。
図９は、本体部１１０の端部詳細及び端板１２０の本体部１１０への取り付けを示す斜視図である。
図１０は、端板１２０の本体部１１０への取り付け後を示す斜視図である。
図１１は、側壁部１１１−２が上方向Ｚ２に引っ張られることを説明する図である。
【００１０】
実施の形態１の照明装置１０００の特徴は照明器具本体１００にあり、具体的には端板１２０が照明器具本体１００の構成部品である本体部１１０の長手方向Ｘの端部の形状を矯正する構成にある。
【００１１】
図２に示すように、照明装置１０００は、照明器具本体１００と、照明器具本体１００に取り付けられる光源ユニット２００とを備える。光源ユニット２００はボルト用貫通孔２０３を貫通するボルト２０１によって照明器具本体１００に取り付けられる。ボルト用貫通孔２０３はキャップ２０２で塞がれる。
【００１２】
図２、図９等に示すように、照明器具本体１００は、長手形状の本体部１１０と、本体部１１０の両端に取り付けられる端板１２０とを備える。本体部１１０の両端に取り付けられる端板１２０は同じものである。
【００１３】
光源ユニット２００はＬＥＤなどの発光素子（図示していない）と、図２に示すように、発光素子に電力を供給する電源装置２１０を備えている。
【００１４】
図９に示すように、本体部１１０は、折り曲げられて凹形状に形成された凹部１１１と、凹部１１１の長手方向Ｘに沿う両側から斜めに形成される一対の傾斜部１１２と、各傾斜部１１２から折り曲げられて立設される立設部１１３と、立設部１１３から曲げられて形成されるカール部１１４（本体側固定部）とを有する。
凹部１１１は、長手形状をなす平板形状の平板部１１１−１と、平板部１１１−１の長手方向Ｘに沿い、平板部１１１−１の幅方向となる短手方向Ｙにおける両側端部１１１−１ａのそれぞれから下方向Ｚ１に立ち上がる一対の側壁部１１１−２とから成る。図９では、端板１２０は凹部１１１の長手方向Ｘの一方の端部１１１−２１を塞ぐ。
【００１５】
図９に示すように、凹部１１１の長手方向Ｘの両端には、端部から切りこまれた切込み部１１１ａ、切込み部１１１ａの近傍において切り起こされて形成された引っ掛け部１１１ｂ、切込み部１１１ａ及び引っ掛け部１１１ｂの近傍に形成される四角形状の係合穴１１１ｃ、が形成されている。このように、一対の側壁部１１１−２は、側壁部１１１−２の内面１１１−２ａに対して隙間Ｃを隔てて対向する対向部９１１１ｂである引っ掛け部１１１ｂを有する。
【００１６】
なお図６に示すように、端板１２０は、各引っ掛け部１１１ｂ（対向部９１１１ｂ）の隙間Ｃに挿入され、一対の側壁部１１１−２の短手方向Ｙの幅寸法を規制する幅規制部９１２２ｂａｂである垂直挿入部１２２ｂａｂを備える。つまり各引っ掛け部１１１ｂの隙間Ｃに、図６に示す垂直挿入部１２２ｂａｂが入り込んで凹部１１１の形状を矯正する。引っ掛け部１１１ｂはＬ字形状に折り曲げられて形成されている。
【００１７】
図８（拡大図）に示すように、一対の側壁部１１１−２は、凹部１１１の長手方向Ｘの一方の端部１１１−２１に、凹部１１１の長手方向Ｘの他方の端部１１１−２２に向かって切り込まれた切込み部１１１ａが形成されている。図６に示すように、端板１２０は、一対の側壁部１１１−２の各切込み部１１１ａに挿入される一対の挿入部９１２２ｂｂである水平挿入部１２２ｂｂを有する。
【００１８】
端板１２０は、端部板１２１、係合部１２２、折り曲げ部１２３（第二の固定部）、突出片１２４（第一の固定部）、曲げ部１２５を有する。
（１）端部板１２１は、台形形状の板状体である。
（２）係合部１２２は、端部板１２１の上辺が折り曲げられて形成され、本体部１１０の凹部１１１の切込み部１１１ａに嵌りこむ水平挿入部１２２ｂｂを有する。
（３）折り曲げ部１２３は、端部板１２１の下辺が折り曲げられて形成され、凹部１１１の平板部１１１−１の上面１１１−１ｂに当接し、平板部１１１−１に対してねじ１１５（図１１）またはリベットにて締結される。
（４）突出片１２４は、端部板１２１の両側から折り曲げられて形成され、カール部１１４に嵌りこんで締結される。
（５）曲げ部１２５は、本体部１１０の傾斜部１１２の上側に差し込まれる。
【００１９】
係合部１２２は、端部板１２１から折り曲げられ、雌ねじが形成されたナット１２２ａａが取り付けられるナット付き板金からなる長方形形状の水平載置部１２２ａと、水平載置部１２２ａの両端からＬ字状に折り曲げられて形成される係合立板１２２ｂとを有する。
【００２０】
また、水平載置部１２２ａは、貫通孔１２２ａｂ及び載置曲げ部１２２ａｃを有する。図７（ｄ）に示すように、貫通孔１２２ａｂによってナット１２２ａａの雌ねじが露出し、ボルトをナット１２２ａａの雌ねじに締め込める。
【００２１】
係合立板１２２ｂは、Ｌ字形状に折り曲げられた板金のうち、水平載置部１２２ａ側の部分である立板部１２２ｂａと、立板部１２２ｂａの先端から外方向に水平に突き出した水平挿入部１２２ｂｂとを有する。立板部１２２ｂａには、斜め方向に切り起こされた爪部１２２ｂａａが形成されている。立板部１２２ｂａは、凹部１１１の内面１１１−２ａに接触するとともに爪部１２２ｂａａが係合穴１１１ｃに係り合い、水平挿入部１２２ｂｂは、切込み部１１１ａに挿入される。
【００２２】
次に、図９〜図１１を参照して、端板１２０を本体部１１０に取り付ける組立工程を説明する。
（１）端板１２０の挿入工程：
凹部１１１、傾斜部１１２、立設部１１３、カール部１１４を形成するように折り曲げられた本体部１１０の長手方向Ｘの端部側から、図９に示すように、端板１２０の係合部１２２が凹部１１１に矢印Ｄ方向に向かって挿入される。このとき、係合部１２２の立板部１２２ｂａが、凹部１１１の各内面１１１−２ａに接触し、水平挿入部１２２ｂｂが切込み部１１１ａに挿入される。まず水平挿入部１２２ｂｂが切込み部１１１ａに嵌り、挿入のガイドになる。端板１２０がさらに押し込こまれると、立板部１２２ｂａに形成された爪部１２２ｂａａが凹部１１１の内面１１１−２ａに押圧されて弾性変形する。爪部１２２ｂａａは凹部１１１の内面１１１−２ａに沿った状態でスライドされていき、係合穴１１１ｃの位置までスライドされると、弾性変形が解除されて係合穴１１１ｃに嵌りこみ係合穴１１１ｃに係合する。この過程で、引っ掛け部１１１ｂの隙間Ｃに係合立板１２２ｂの垂直挿入部１２２ｂａｂが入り込むとともに、突出片１２４がカール部１１４に挿入される。
（２）カール部の潰し加工工程：
次に、カール部１１４の一部（突出片１２４が入り込んでいる部分）を潰す加工を施して、カール部１１４と突出片１２４を圧接させる。
（３）折り曲げ部１２３と上面１１１−１ｂとの締結工程：
ねじ１１５（またはリベット）、折り曲げ部１２３、上面１１１−１ｂ等の取り付けは、図６、図９、図１０等に示すように、ねじ１１５が、上方向から、折り曲げ部１２３の挿入孔１２３ａ、平板部１１１−１の端板締結孔１１１−１ｅを貫通して、折り曲げ部１２３を上面１１１−１ｂに締結する。図１１に示すように、折り曲げ部１２３の挿入孔１２３ａ及び端板締結孔１１１−１ｅを貫通させたねじ１１５（またはリベット）により、折り曲げ部１２３の下面と上面１１１−１ｂと締結させて、隙間Ｃ２をなくす。つまり隙間Ｃ２＝０ｍｍにする。
【００２３】
＜＊＊＊作用、効果の説明＊＊＊＞
以上のように端板１２０は垂直挿入部１２２ｂａｂを備えたので、組み立て時に本体部に端板を容易に装着できるとともに、端板の装着によって本体部の形状変形を矯正できる。
それぞれの引っ掛け部１１１ｂの隙間Ｃに、それぞれの係合立板１２２ｂの垂直挿入部１２２ｂａｂが入り込むことで、凹部１１１の短手方向Ｙ（凹部１１１の幅方向）の寸法を規制することができる。
【００２４】
また、このとき、図１１に示すように、ねじ１１５による締結前の状態において、平板部１１１−１の上面１１１−１ｂと、折り曲げ部１２３の下面との間に隙間Ｃ２（０．３ｍｍ〜１．０ｍｍ程度、図１１では０．５ｍｍとした）が生じるようにしている。また水平挿入部１２２ｂｂの下面と、切込み部１１１ａの下方向Ｚ１の縁部１１１ａｂとの間にも、ねじ１１５による締結前の状態において、上下方向の隙間Ｃ１が生じるようにしている。隙間Ｃ１は隙間Ｃ２と同じ程度である。図１１では０．５ｍｍとした。理想的には、ねじ１１５を締め込んで隙間Ｃ２をゼロにした場合、隙間Ｃ１は、切込み部１１１ａの縁部１１１ａｂにゼロタッチである。
（１）図１１に示すように、ねじ１１５（またはリベット）により、折り曲げ部１２３の下面と上面１１１−１ｂとを締結させると、つまり隙間Ｃ２をゼロにすると、上面１１１−１ｂが折り曲げ部１２３側（上方向Ｚ２の方向）へ引っ張られる。つまり、図１１において、右上では、「カール部の潰し加工工程」によってカール部１１４には突出片１２４が挿入されて、かしめられた状態である。よってカール部１１４は突出片１２４に対して固定されている。この固定状態でねじ１１５を締めて隙間Ｃ２をゼロにすると、上面１１１−１ｂが上方向Ｚ２（折り曲げ部１２３の方向）に引っ張られるが、上面１１１−１ｂが上方向Ｚ２に引っ張られることに伴って、側壁部１１２−２は上面１１１−１ｂと一体であるから側壁部１１１−２も上方向Ｚ２に引っ張られる。
（２）このときカール部１１４は突出片１２４に対して固定されているので、側壁部１１２−２が上方向Ｚ２に引っ張られることによって、傾斜折り曲げ部１１２ａも図１１の矢印Ｚ３の方向（凹部１１１の内部への方向）に引っ張られる。これにより傾斜部１１２がカール部１１４を軸として、破線矢印Ｚ４の方向に引き上げられる。
（３）よって、傾斜部１１２の内面１１２ｂ（図９、図１１等）と、曲げ部１２５の外面１２５ａ（図６、図１１等）との間の、破線５１で示す範囲の隙間をなくすことができる。このため、塑性変形などで長手方向Ｘにおける凹部１１１の開口端部が広がった形状変形を修正できる。特に、本体部１１０にステンレス材などの弾性（バネ性）を有する材質を用いる場合には有用である。
【００２５】
ねじ１１５を締めて隙間Ｃ２をゼロにした場合に、側壁部１１１−２が上方向Ｚ２へ引っ張られるが、その結果、理想的には隙間Ｃ１もゼロになる。つまり水平挿入部１２２ｂｂの下面は切込み部１１１ａの縁部１１１ａｂにゼロタッチの状態となる。実際には、水平挿入部１２２ｂｂの下面は縁部１１１ａｂに対して、ゼロタッチ若しくはわずかの隙間を有する状態である。
照明装置の完成状態では端板１２０はナット１２２ａａで光源ユニット２００の重量を受けることになるが、光源ユニット２００の装着前は、水平挿入部１２２ｂｂの下面が縁部１１１ａｂにゼロタッチ（あるいは隙間があってもわずか）の状態となっており、光源ユニット２００が装着されるとその重量で水平挿入部１２２ｂｂの下面が縁部１１１ａｂを押すことなり、光源ユニット２００の重量を縁部１１１ａｂを介して本体部１１０も支持することになる。よって、光源ユニット２００の重量を、折り曲げ部１２３や突出片１２４とともに側壁部１１１−２も分担することができる。
【００２６】
以上の説明のように、本体部１１０は、一対の傾斜部１１２と、一対のカール部１１４（本体側固定部）とを備える。一対の傾斜部１１２は、それぞれの側壁部１１１−２の下方向Ｚ１の端部に位置する傾斜折り曲げ部１１２ａから、凹部１１１の外に向かって斜め上方向に延びる。一対のカール部１１４は、一対の傾斜部１１２の上方向Ｚ２の端部の上方向Ｚ２に形成され、かつ、凹部１１１の長手方向Ｘの前記一方の端部に少なくとも形成されている。また端板１２０は、それぞれのカール部１１４に固定される突出片１２４（第一の固定部）と、平板部１１１−１の上面１１１−１ｂに固定される折り曲げ部１２３（第二の固定部）とを備える。一対の側壁部１１１−２は、カール部１１４に突出片１２４が固定されている状態で、上面１１１−１ｂに折り曲げ部１２３が固定された場合に、上方向Ｚ２に引っ張られる。また、このとき、一対の水平挿入部１２２ｂｂは、上面１１１−１ｂに折り曲げ部１２３が固定された場合に、切込み部１１１ａの縁部１１１ａｂに近づくとともに、縁部１１１ａｂにぶつからず、縁部１１１ａｂに対してゼロタッチ、あるいはわずかに隙間を隔てて位置する。
【００２７】
以上のように、端板１２０は水平挿入部１２２ｂｂを備えたので、組み立て時に本体部に端板を容易に装着できる。
【００２８】
＜＊＊＊他の構成＊＊＊＞
実施の形態１では、図２に示すように照明器具本体１００は長手方向Ｘの両端に端板１２０を備えるが、一方の端部のみに備える場合でも、凹部１１１の形状矯正の効果を得ることができる。つまり、照明装置１０００は、少なくとも一つの端板１２０を備える構成でよい。
また、引っ掛け部１１１ｂは切り起こしによって形成しているが、切り起こしに限らず引っ掛け部１１１ｂに該当する部品を溶接や、ねじ止めなどにより側壁部１１１−２に取り付けても構わない。
【００２９】
実施の形態２．
図１２〜図２０を参照して実施の形態２の照明装置１００２を説明する。照明装置１００２は実施の形態１に示す照明装置１０００をさらに長尺にしたものであり、照明装置１００２は、光源ユニット２００−１と光源ユニット２００−２との２つの光源ユニット２００を有する。本体部１１０と端板１２０との構成は実施の形態１と同じである。
【００３０】
実施の形態２では実施の形態１と同様の部分は同符号を付して説明を省略し、異なる構成について説明する。
【００３１】
図１２は、照明装置１００２の斜視図である。
図１３は、実施の形態２の照明器具本体１００の三面図であり、（ａ）は背面図（図２の反Ａ方向に対応）、（ｂ）は側面図（図２のＢ方向に対応）、（ｃ）は正面図（図２のＡ方向に対応）である。
図１４は、固定具３００の斜視図である。
図１５は、固定具３００の四面図及び断面図である。（ａ）は正面図、（ｂ）は平面図、（ｃ）は底面図、（ｄ）は右側面図、（ｅ）は（ａ）のＡ−Ａ断面図である。
図１６は、照明器具本体１００への固定具３００の取り付けを示す斜視図である。
図１７は、図１６（ａ）の拡大図である。
図１８は、図１６（ｂ）の拡大図である。
図１９は、図１３（ａ）のＡ−Ａ断面に対応する半断面である。
図２０は、図１９の拡大図である。
【００３２】
照明装置１００２は、光源ユニット２００−１，２００−２との２つを有し、長手方向Ｘに沿って２つの光源ユニットが取り付けられるため、照明器具本体１００の長手方向Ｘの略中央部分に、光源ユニットを固定するための固定具３００を有する。
【００３３】
図１４、図１５に示すように、固定具３００は、板金を用いて凹部１１１と同様に凹形状に折り曲げ加工されている。固定具３００は、頂面に光源ユニットを取り付けるための、ナット付きの光源ユニット取り付け部３１１、光源ユニット取り付け部３１１の両側面を折り曲げて形成される２つの脚部３１２、２つの脚部３１２の先端から互いに対向するように内側方向へ折り曲げられて形成される先端部３１３を有する。先端部３１３は、切り欠き部３１３ａと挿入孔３１３ｂを有する。
【００３４】
図１３（ｃ）に示すように、照明器具本体１００は、左側の端板１２０に第１のねじ部１０１であるナット１２２ａａを有し、右側の端板１２０に第２のねじ部１０２であるナット１２２ａａを有する。第１のねじ部１０１であるナット１２２ａａは、凹部１１１の長手方向Ｘの一方の端部（左側）に、第１の光源ユニット２００−１を取り付けるねじ機構として配置されている。第２のねじ部１０２であるナット１２２ａａは、凹部１１１の長手方向Ｘの他方の端部（右側）に、第２の光源ユニット２００−２を取り付けるねじ機構として配置されている。図１３（ｃ）に示すように、固定具３００は、第３のねじ部１０３であるナット３１１ａ（図１３（ｃ）で左側）と、第４のねじ部１０４であるナット３１１ａ（図１３（ｃ）で右側）を有する。第３のねじ部１０３であるナット３１１ａは、第１のねじ部１０１（左側）と対をなし、第１の光源ユニット２００−１を取り付けるねじ機構として配置されている。第４のねじ部１０４であるナット３１１ａは、第２のねじ部１０２（右側）と対をなし、第２の光源ユニット２００−２を取り付けるねじ機構として配置されている。
【００３５】
図１７に示すように、照明器具本体１００の本体部１１０は、凹部１１１の面からフック状に切り起こされた計４つの固定具引っ掛け部１１１−１ｃと、固定具引っ掛け部１１１−１ｃの近傍に設けられる計２つの挿入孔１１１−１ｄを有する。図１４には、固定具３００が本体部１１０に取り付けられる前の、固定具３００と４つの固定具引っ掛け部１１１−１ｃとの関係を示した。また、図１３（ａ）には４つの固定具引っ掛け部１１１−１ｃ、２つの挿入孔１１１−１ｄの平面位置を示した。
【００３６】
次に、固定具３００を照明器具本体１００の本体部１１０に取り付ける取り付け工程を説明する。
【００３７】
（１）図１７に示すように固定具引っ掛け部１１１−１ｃを切り欠き部３１３ａに挿通させ、その後、固定具３００を本体部３２０の長手方向Ｘにスライドさせる。
（２）固定具３００をスライドさせると、図１８に示すように固定具引っ掛け部１１１−１ｃに先端部３１３が入り込み、固定具引っ掛け部１１１−１ｃに先端部３１３が引っかかった状態となる。
（３）このとき、固定具引っ掛け部１１１−１ｃが切り起こされた部分に切り欠き部３１３ａの端部が当接する。よって固定具引っ掛け部１１１−１ｃが長手方向Ｘに必要以上のスライドするのを防止する。このときには図１８に示すように、先端部３１３に形成されている挿入孔３１３ｂと固定具３００の挿入孔１１１−１ｄとが連通する。
【００３８】
この状態で図１８において、挿入孔１１１−１ｄ及び挿入孔３１３ｂにリベットを挿入して締結する。
【００３９】
＜＊＊＊効果の説明＊＊＊＞
このように、固定具３００の先端部３１３を固定具引っ掛け部１１１−１ｃに引っ掛かるようにすることで、固定具３００のそれぞれの挿入孔３１３ｂを対応する挿入孔１１１−１ｄと容易に連通させることができる。よって、リベットでの締結を容易にすることができる。さらに、固定具３００に取り付けられる光源ユニット２００−１，２００−２の重量負荷をリベットにかけることなく、固定具引っ掛け部１１１−１ｃが支えるので、照明装置としての機械的強度を増すことができる。
つまり、固定具３００と本体部１１０とを締結するリベットの役割は、光源ユニット２００−１，２００−０の荷重を支えるものではなく、固定具３００がスライドして本体部３２０から外れるのを防止するスライド防止機構の役割を持つものである。
【００４０】
＜＊＊＊他の構成＊＊＊＞
実施の形態２の照明装置１００２は、実施の形態１で述べた端板１２０を有する構成として説明したが、実施の形態１で述べた端板１２０を備えない構成でもよい。少なくとも固定具３００を備える構成であればよい。
【符号の説明】
【００４１】
Ｃ，Ｃ１，Ｃ２  隙間、Ｘ  長手方向、Ｙ  短手方向、Ｚ１  下方向、Ｚ２  上方向、１００  照明器具本体、１１０  本体部、１０１  第１のねじ部、１０２  第２のねじ部、１０３  第３のねじ部、１０４  第４のねじ部、１１１  凹部、１１１−１  平板部、１１１−１ａ  端部、１１１−１ｂ  上面、１１１−１ｃ  固定具引っ掛け部、１１１−１ｄ  挿入孔、１１１−２  側壁部、１１１−２ａ  内面、１１１−２１  一方の端部、１１１−２２  他方の端部、１１１ａ  切込み部、１１１ａｂ  縁部、１１１ｂ  引っ掛け部、１１１ｂａ  開口、１１１ｃ  係合穴、１１２  傾斜部、１１２ａ  傾斜折り曲げ部、１１２ｂ  内面、１１３  立設部、１１４  カール部、１１５  ねじ、１２０  端板、１２１  端部板、１２２  係合部、１２２ａ  水平載置部、１２２ａａ  ナット、１２２ａｂ  貫通孔、１２２ａｃ  載置曲げ部、１２２ｂ  係合立板、１２２ｂａ  立板部、１２２ｂａａ  爪部、１２２ｂａｂ  垂直挿入部、１２２ｂｂ  水平挿入部、１２３  折り曲げ部、１２３ａ  挿入孔、１２４  突出片、１２５  曲げ部、１２５ａ  外面、２００  光源ユニット、２０１  ボルト、２０２  キャップ、２０３  ボルト用貫通孔、２１０  電源装置、３００  固定具、３１１  光源ユニット取り付け部、３１２  脚部、３１３  先端部、３１３ａ  切り欠き部、３１３ｂ  挿入孔、１０００  照明装置、１００２  照明装置、９１１１ｂ  対向部、９１２２ｂａｂ  幅規制部、９１２２ｂｂ  挿入部。
【図１】
0006555928.tif 000002
【図２】
0006555928.tif 000003
【図３】
0006555928.tif 000004
【図４】
0006555928.tif 000005
【図５】
0006555928.tif 000006
【図６】
0006555928.tif 000007
【図７】
0006555928.tif 000008
【図８】
0006555928.tif 000009
【図９】
0006555928.tif 000010
【図１０】
0006555928.tif 000011
【図１１】
0006555928.tif 000012
【図１２】
0006555928.tif 000013
【図１３】
0006555928.tif 000014
【図１４】
0006555928.tif 000015
【図１５】
0006555928.tif 000016
【図１６】
0006555928.tif 000017
【図１７】
0006555928.tif 000018
【図１８】
0006555928.tif 000019
【図１９】
0006555928.tif 000020
【図２０】
0006555928.tif 000021